(57)【要約】【課題】無線通信端末の動作モードを状況に応じて自動的に制御することが望まれている。ＧＰＳシステムによって端末の位置を測定し、移動速度を計算して動作モードを切り替える技術が知られているが、端末に余分な装置および負荷が要求される。【解決手段】無線通信端末が通常動作において測定し保持する受信電波の電界レベルおよび位置情報を利用して端末の動作モード（特に着信報知動作）を制御する。端末が予め設定された位置にあって、かつ電界レベルの変化速度が所定値より大きい場合、端末は電車、自動車などで高速に移動していると判断される。この結果端末の動作モードが切り替えられる。例えば着信報知動作が着信音から振動によるモードに切り替えられる。【選択図】      図１
2005278117.tif 000002
【特許請求の範囲】
【請求項１】
基地局と無線通信を行う無線通信端末であって、位置情報抽出回路と、受信電波の電界レベルを抽出する電界レベル抽出回路と、該電界レベル値の変化速度を計算する電界レベル比較回路と、前記電界レベル値の変化速度に基づき該端末の動作モードを制御する制御部とを備えることを特徴とする無線通信端末。
【請求項２】
前記無線通信端末は動作モードを保持するメモリを備える請求項１記載の無線通信端末。
【請求項３】
電界レベル抽出回路は電界レベルが変動した場合および無線通信端末の立ち上げ時に電界レベルを電界レベル比較回路へ送付する請求項１に記載の無線通信端末。
【請求項４】
制御部は、無線通信端末が所定位置に存在しかつ電界レベルの変化速度が所定値以上の場合、該端末の着信モードを所定の設定に切り替える請求項１に記載の無線通信端末。
【請求項５】
基地局と無線通信を行う無線通信端末であって、位置情報抽出回路と、基地局が指定する該端末の送信電波の電界レベルを保持する送信レベル記憶回路と、前記電界レベル値の変化速度を計算する送信レベル比較回路と、前記電界レベル値の変化速度に基づき該端末の動作モードを制御する制御部とを備えることを特徴とする無線通信端末。
【請求項６】
前記無線通信端末は動作モードを保持するメモリを備える請求項５記載の無線通信端末。
【請求項７】
送信レベル記憶回路は、送信電波の電界レベルが変動した場合および無線通信端末の立ち上げ時に送信電界レベルを送信レベル比較回路へ送付する請求項５に記載の無線通信端末。
【請求項８】
制御部は、無線通信端末が所定の位置に存在しかつ送信電波の電界レベルの変化速度が所定値以上の場合、該端末の着信モードを所定の設定に切り替える請求項５に記載の無線通信端末。
【請求項９】
前記メモリには、無線通信端末を所定の動作モードに切り替えるべき位置に関する情報が保持されている請求項２または６記載の無線通信端末。
【請求項１０】
動作モードは該モードの切り替え前と切り替え後のそれぞれの動作モードである請求項２または６に記載の無線通信端末。
【請求項１１】
前記切り替え後の動作モードは着信報知を振動によって行う動作モードである請求項１０記載の無線通信端末。
【請求項１２】
前記制御部は、前記動作モードを制御した後、前記無線通信端末の位置および電波レベルの変化速度の少なくとも一方が所定条件に合致しなくなったとき、該無線通信端末の動作モードを制御前の状態に戻す請求項１または５に記載の無線通信端末。
【請求項１３】
基地局と無線通信を行う無線通信端末の制御方法であって、
該無線通信に用いられる電波の強度変化速度に基づき、該無線通信端末の動作モードを切り替えることを特徴とする無線通信端末の制御方法。
【請求項１４】
前記電波の強度は前記無線通信端末が受信しまたは送信する電波のうちの一方の電界レベルである請求項１３に記載の無線通信端末の制御方法。
【請求項１５】
前記無線通信端末が所定位置に存在しかつ前記電波の強度変化速度が所定値以上の場合、該無線通信端末の動作モードを切り替える請求項１３または１４に記載の無線通信端末の制御方法。
【請求項１６】
動作モードは着信報知モードであって、前記切り替え後は着信報知を振動によって行う請求項１５記載の無線通信端末の制御方法。
【請求項１７】
前記着信モードの切り替え後、前記無線通信端末の位置および電波の強度変化速度の少なくとも一方が所定条件に合致しなくなったとき、該無線通信端末の着信モードを変更前の状態に戻す請求項１３ないし１６のうちの１に記載の無線通信端末の制御方法。
【発明の詳細な説明】
【技術分野】
【０００１】
本発明は基地局と無線通信を行う無線通信端末に関する。
【背景技術】
【０００２】
携帯電話機が普及すると共に、その着信音に関する問題が注目されている。すなわち、静寂な環境が維持されねばならないコンサートホールや劇場、さらに電車内部などのような環境では、携帯電話機の利用者は携帯電話機の電源を切断しまたは振動によって着信を報知するマナーモードに設定することを要求される。このため、携帯電話機には予め時間を設定し、その時間内ではマナーモードとする方式が知られている。しかしこの方式は、利用者自身が設定時間を入力しなければならない。また、着信音を発生させたい場合でもマナーモードになってしまう可能性もある。
【０００３】
一方、特許文献１は、移動端末が、端末移動速度から自端末を所定の機能に切り替える技術を開示している。この端末はＧＰＳシステムを利用して端末の位置を測定し、移動距離と所要時間から移動速度を計算する。この結果、移動速度が大きい場合、端末が一定速度で走行中の車両中にあると判断され、着信モードがマナーモードに切り替えられる。
【０００４】
【特許文献１】特開２００３−０８７４００号公報（図１、図２）
【発明の開示】
【発明が解決しようとする課題】
【０００５】
上記特許文献１に開示された端末では、該端末がある程度移動する毎に、ＧＰＳシステムから位置測定を行わねばならない。このためほとんど常にＧＰＳシステムにアクセスする必要がある。この処理は端末の制御部の負担を大きくし、また通常動作に比べ端末が内蔵する電池を余分に消費する。またＧＰＳ送受信部を別途端末に設置する必要がある。
【課題を解決するための手段】
【０００６】
本発明は上記課題を解決し、無線通信端末に大きな負荷をかけず、効率的に所定の条件の場合に端末の着信モードを切り替えることが可能な無線端末とその制御方法を提供することを目的とする。
【０００７】
該目的を達成する本発明の無線通信端末は、基地局と無線通信を行う無線通信端末であって、位置情報抽出回路と、受信電波の電界レベルを抽出する電界レベル抽出回路と、該電界レベル値の変化速度を計算する電界レベル比較回路と、電界レベル値の変化速度に基づき該端末の動作モードを制御する制御部とを備える。また別の無線通信端末は、位置情報抽出回路と、基地局が指定する該端末の送信電波の電界レベルを保持する送信レベル記憶回路と、電界レベル値の変化速度を計算する送信レベル比較回路と、電界レベル値の変化速度に基づき該端末の動作モードを制御する制御部とを備える。これらの端末は、無線通信端末は動作モードを保持するメモリを備えることができる。電界レベル抽出回路は電界レベルが変動した場合および無線通信端末の立ち上げ時に電界レベルを電界レベル比較回路へ送付する。制御部は、該無線通信端末が所定位置に存在しかつ電界レベルの変化速度が所定値以上の場合に該端末の着信モードを所定の設定に切り替えることができる。切り替え後の着信モードは例えば振動によって着信を報知するマナーモードである。制御部は、動作モードを制御した後、無線通信端末の位置および電波レベルの変化速度の少なくとも一方が所定条件に合致しなくなったとき、該無線通信端末の動作モードを制御前の状態に戻すことができる。
【０００８】
本発明の無線通信端末の制御方法は、該無線通信に用いられる電波の強度変化速度に基づき、該無線通信端末の動作モードを切り替える。この電波の強度は無線端末が受信しまたは送信する電波のうちの一方の電界レベルである。また無線通信端末が所定位置に存在しかつ電波の強度変化速度が所定値以上の場合に、該無線通信端末の動作モードを切り替えることができる。上記切り替え後、着信報知モードを振動による報知に設定することができる。また動作モードの制御後、無線通信端末の位置および電波の強度変化速度の少なくとも一方が所定条件に合致しなくなったとき、該無線通信端末の動作モードを制御前の状態に戻すことができる。
【発明の効果】
【０００９】
上記無線通信端末とその制御方法によれば、端末が通常の動作で保持している着信電波強度、および送信電波強度を利用するので、制御部に端末に負担を与えずに動作モード、特に着信モードを自動的に変更できる。
【発明を実施するための最良の形態】
【００１０】
図１は、本発明の無線通信端末の実施例を示すブロック図である。アンテナ１は現在同期確立している基地局から送信される位置情報を受信する。無線部２はアンテナ１を介して基地局との間で情報を変復調して送受信する。位置情報抽出回路３は、端末が無線部２を介して受信する各種の情報から基地局から送信される位置情報を抽出し、制御部（ＣＰＵ）６へ出力する。電界レベル抽出回路４は、アンテナ１が受信した電波を無線部２を介して受信してその電界レベルを算出し、所定の時間間隔で結果を電界レベル比較回路５へ出力する。なお、電界レベル抽出回路４は、無線携帯端末の立ち上げ時の電界レベルおよび電界レベルが所定値だけ変動した場合に電界レベルを出力することができる。該所定値は利用者によって任意の値に設定され得る。電界レベル比較回路５は、上記電界レベル抽出回路４から電界レベルを受け取り、その時刻とレベルを保持している。該回路５は、これらの情報を用い電界レベル値の変化の速度を計算する。計算は前回電界レベル値を受け取った時刻から今回電界レベル値を受け取った時刻までの時間で該電界レベルの変動分を割り算することによって行う。また、電界レベル比較回路５は無線携帯端末の移動速度に関する所定の設定値を保持しており、計算結果がその設定値以上の場合に制御部（ＣＰＵ）６に対しその旨を通知する。なお、上記設定値は利用者が任意の値を設定できる。
【００１１】
ここでメモリについて説明する。位置情報メモリ７は利用者の設定した位置情報を保持している。この位置は、端末への着信報知を例えば振動により行うモードとすべき位置または領域である。装置状態制御用メモリ８は所定の条件が満たされた場合に、端末が設定されるべきモード、例えばマナーモード（上記振動モード）、の状態（あるいは設定データまたはコマンド等）を格納している。状態メモリ９は、利用者が設定する端末の現在の動作モードを保持する。
【００１２】
制御部（ＣＰＵ）６は、電界レベル比較回路５から通知を受けると、上記位置情報抽出回路３が抽出した現在位置が位置情報メモリ７中の位置情報と一致するかを判断する。位置情報が一致している場合、制御部（ＣＰＵ）６は、該端末の設定を装置状態制御用メモリ８に設定されている状態へ遷移させる。逆に、位置情報が不一致の場合は、状態メモリ９に格納してある状態（動作モード）を端末に設定する。
【００１３】
なお、制御部６は、上記位置情報抽出回路３、電界レベル抽出回路４、および電界レベル比較回路５の各機能のうち１以上を備えることができる。また上記３つのメモリは、１つのメモリ中に形成することができる。該無線通信端末は、さらに表示部１０、キーボードなどの操作部１１、およびタイマー１２を備える。タイマー１２の出力する時刻のデータは電界レベル抽出回路４、電界レベル比較回路５等での動作に用いられる。
【００１４】
図２は本発明の原理を説明する図である。ここでは、受信電界レベルは簡潔に強電界、中電界、弱電界の３段階で表わされる。無線通信端末が弱電界の位置にある場合、電界レベルが中電界、強電界へと変化する速度が早ければ、この無線携帯端末は高速で移動中と見なすことが可能である。逆に、長時間弱電界の環境に留まっていたり、中電界、強電界へと変化する速度が遅ければ、無線通信端末を保持する利用者は徒歩のような低速で移動中とみなすことができる。無線通信端末の電界レベル比較回路５には、電車等の高速移動と見なせるような電界レベルの変化速度の値が設定される。
【００１５】
図３は本発明の動作を示すフローチャートである。無線通信端末の電源がＯＮとされると（ステップ３００）、該端末は待ち受け状態となる（ステップ３０１）。利用者の入力あるいは自動的に、制御部６はそのときの動作モード（例えば着信音による着信報知）を状態メモリ９に設定する（ステップ３０２）。次に、装置状態制御用メモリ８に利用者が設定したデータが存在するか否かが判断される（ステップ３０３）。該メモリ８にデータがない場合、端末は待ち受け状態へもどる。該メモリ８にデータがある場合、無線部２の受信データから、位置情報抽出回路３が現在の位置情報を抽出する（ステップ３０４）。さらに、制御部（ＣＰＵ）６は抽出した現在の位置情報と位置情報メモリ７に設定してある位置情報の比較を行う（ステップ３０５）。情報が不一致の場合、端末は待ち受け状態に戻る。情報が一致した場合、電界レベル比較回路５は無線部２と電界レベル抽出回路４を介して取得し、保持している電界レベル値と比較する（ステップ３０６）。続いて、電界レベル比較回路５は電界レベルの変化速度を計算する（ステップ３０７）。変化速度が所定の設定値未満の場合、端末は待ち受け状態に戻る。変化速度が該設定値以上である場合、電界レベル比較回路５はその結果を制御部（ＣＰＵ）６に出力する。制御部６は、端末を装置状態制御用メモリ８に設定してある状態（振動モード）に端末を設定する（ステップ３０８）。
【００１６】
図４は、上記動作モードを切り替えた後の動作に関するフローチャートである。設定切り替え後の状態（ステップ４００）において、無線携帯端末は、無線部２の受信データから、位置情報抽出回路３にて現在の位置情報を抽出している（ステップ４０１）。制御部（ＣＰＵ）６は、抽出した現在位置情報と位置情報メモリ７に設定してある位置情報の比較を行う（ステップ４０２）。比較の結果不一致の場合は上記振動モードに設定しておく必要がないので、状態メモリ９に格納されている動作モード（例えば、着信音による報知動作）へ戻る（ステップ４０５）。比較結果が一致している場合、制御部（ＣＰＵ）６は端末を以下のように制御する。電界レベル抽出回路４が電界レベルを抽出し（ステップ４０３）、この電界レベルから電界レベル比較回路５が電界レベルの変化速度の計算、判定（ステップ４０４）の結果を出力している。制御部（ＣＰＵ）６はこの結果を受けて端末を制御する。制御部（ＣＰＵ）６は上記速度が設定値未満であれば、上述のように状態メモリ９に格納してある動作モードに戻し（ステップ４０５）、設定値以上であれば上記切り替え後の状態を維持する。
【００１７】
図５は、本発明の無線通信端末の他の例を示す。この端末では、上記電界レベル抽出回路４の代わりに自己送信レベル記憶回路１３を備え、また上記電界レベル比較回路５の代わりに自己送信レベル比較回路１４を備えている。この端末では、端末自身が発信する電波の送信レベルの変化速度により、端末の動作モードが切り替えられる。無線携帯端末の送信レベルは、基地局側が指定する。端末が受信する電波の受信レベルが強ければ基地局へ送信する電波の送信レベルは低く、該受信レベルが弱ければ基地局への送信レベルは高く指定される。自己送信レベル記憶回路１３は基地局が指定した電界レベルを格納する。自己送信レベル記憶回路１３はこの送信レベルの変動に応じて該レベルを自己送信レベル比較回路１４へ送付する。自己送信レベル比較回路１４は送信レベルの変化速度を計算し、その結果を制御部（ＣＰＵ）６に送る。その他の構成と動作は上述の例と同じである。
【００１８】
なお上述の例は、端末が予め設定されている位置にある場合でも、所定の電界レベル変化速度でなければ、初期設定の着信音による放置動作モードに戻ってしまう動作例を記載している。しかし、端末の利用者は、別の動作として、端末が予め設定された位置にあるときは、常に端末を切り替える（すなわち振動による報知動作モードにする）ように設定することができる。
【００１９】
図６は、電界レベルが５個のブロックに分けられた例を示す。電界レベル抽出回路４または自己送信レベル記憶回路１３は、電界レベルまたは送信レベルが属するレベルブロックが変化したとき、そのレベル値を電界レベル比較回路５または自己送信レベル比較回路１４へ送る。電界レベル比較回路５または自己送信レベル比較回路１４は、そのレベル値が属するブロックが例えばレベル１→レベル２→レベル３と変化する場合の変化速度が設定値以上であれば、無線携帯端末が高速移動中と見なす。一方、設定値未満の場合や同じレベルブロック内に留まっている場合は、該端末は低速で移動しているか、移動していないと見なされる。本発明の無線通信端末は上記のような制御に基づき動作しうる。
【図面の簡単な説明】
【００２０】
【図１】本発明の無線通信端末の構成例を示すブロック図。
【図２】本発明の動作原理を示す図。
【図３】本発明の無線通信端末の動作例を示すフローチャート。
【図４】本発明の無線通信端末の動作例を示すフローチャート。
【図５】本発明の無線通信端末の他の構成例を示すブロック図。電子回路のさらに他の構成例を示すブロック図。
【図６】本発明の動作例に関し電界レベルをブロックに分類した図。
【符号の説明】
【００２１】
２  無線部
３  位置情報抽出回路
４  電界レベル抽出回路
５  電界レベル比較回路
６  制御部（ＣＰＵ）
１３  自己送信レベル記憶回路
１４  自己送信レベル比較回路
【図１】
2005278117.tif 000003
【図２】
2005278117.tif 000004
【図３】
2005278117.tif 000005
【図４】
2005278117.tif 000006
【図５】
2005278117.tif 000007
【図６】
2005278117.tif 000008